(57)【要約】【課題】  噴射対象物の形状に合わせて噴射することができるノズル部材を提供する。【解決手段】  ノズル部材６は、円筒部６Ａと、その片側開口を塞ぐように中心を一致して鍔状に設ける円板部６Ｂとからなる。円板部は、その中心に吐出口６ａを設け、その吐出口まわりで一体的に突出して一対の噴出ガイド６ｃを嘴状に形成し、その噴射ガイドに規制面ｈを吐出口を挟んで互いに対向して設ける。吐出口まわりの内面には、スクリュ６ｄを有する。吐出口は、外開きの円錐面に形成する。そして、吐出部材である押し釦に取り付けて使用する。使用時に押し釦を押し下げると、吐出口から噴射し、その噴射する液体の噴射範囲を噴射ガイドの規制面で規制して長方形状の噴射パターンを形成する。【選択図】        図２
2005066588.tif 000002
【特許請求の範囲】
【請求項１】
液体を噴射する吐出口を設け、噴出器の吐出部材に取り付けて使用するノズル部材において、
前記吐出口まわりで一体的に突出して一対の噴射ガイドを嘴状に形成し、
その一対の噴射ガイドに、前記吐出口から噴射する液体の噴射範囲を規制する規制面を前記吐出口を挟んで互いに対向して設けることを特徴とする、ノズル部材。
【請求項２】
前記規制面に、角部を有しない周縁部を形成することを特徴とする、請求項１に記載のノズル部材。
【請求項３】
前記吐出口を外開きの円錐面に形成することを特徴とする、請求項１または２に記載のノズル部材。
【請求項４】
液体を噴射する吐出口を設け、噴出器の吐出部材に取り付けて使用するノズル部材において、
前記吐出口まわりで外面から凹ませて噴射ガイドを穴状に形成し、
その噴射ガイドに、前記吐出口から噴射する液体の噴射範囲を規制する２つの規制面を前記吐出口を挟んで互いに対向して設けることを特徴とする、ノズル部材。
【請求項５】
前記吐出口まわりの内面にスクリュを有することを特徴とする、請求項１ないし４のいずれか１に記載のノズル部材。
【請求項６】
前記噴射ガイドで噴射範囲を規制して長方形状の噴射パターンを形成することを特徴とする、請求項１ないし５のいずれか１に記載のノズル部材。
【請求項７】
請求項１ないし６のいずれか１に記載のノズル部材を取り付ける前記吐出部材を備え、容器の口部に取り付けてその吐出部材を押し込むことにより容器内の液体を汲み上げて外部に噴射することを特徴とする、ポンプ式噴出器用噴出装置。
【請求項８】
請求項１ないし６のいずれか１に記載のノズル部材を取り付ける前記吐出部材を備え、容器の口部に取り付けてその吐出部材を押し込むことにより容器内の液体を噴射剤により外部に噴射することを特徴とする、エアゾール式噴出器用噴出装置。
【請求項９】
請求項１ないし６のいずれか１に記載のノズル部材を取り付ける前記吐出部材を備え、容器の口部に取り付けて容器を押し潰すことにより容器内の液体を外部に噴射することを特徴とする、押出し式噴出器用噴出装置。
【請求項１０】
請求項７ないし９のいずれか１に記載の噴出装置を備えることを特徴とする、噴出器。
【発明の詳細な説明】
【技術分野】
【０００１】
この発明は、乾燥防止用化粧水、ガラスクリーナ等のクリーナ液、曇り止め剤など、容器内に収納する液体を、押し釦等の吐出部材に設ける吐出口から外部に向けて噴出する噴出器に関する。そのような噴出器において、容器の口部に取り付けて用いる、ポンプ式、エアゾール式、押出し式の噴出装置に関する。および、そのような噴出装置において、噴射対象物の目的部位に向けて噴射する吐出口を設け、吐出部材に取り付けて備えるノズル部材に関する。
【背景技術】
【０００２】
従来、クリーナ液等の噴出器では、容器の口部に噴出装置を取り付けてなり、例えばエアゾール式のものでは、特許文献１に記載されるとおり、使用時にその噴出装置の押し釦を押し下げてステムを押し込み、容器内の液体を噴射剤の圧力で押し出し、押し釦内を通してその押し釦に取り付けるノズル部材の吐出口から外部へと噴射していた。
【０００３】
【特許文献１】特開２０００−１５３１８８号公報
【発明の開示】
【発明が解決しようとする課題】
【０００４】
しかしながら、このような噴出器では、液体が吐出口から放射状に噴射するから、噴射パターンが円形となり、噴射対象物が矩形状のものでは、噴射対象物のまわりに噴射液が不必要に拡散して、液体を無駄なく吹き付けることができない問題があった。例えば、矩形の網戸にクリーナ液を吹き付けるとき、網戸形状に合わせてむらなく、しかも無駄なく吹き付けることが難しかった。
【０００５】
そこで、この発明の第１の目的は、噴射対象物の形状に合わせて的確に噴射することができるノズル部材を提供することにある。
【０００６】
この発明の第２の目的は、噴射対象物の形状に合わせて的確に噴射することができるポンプ式噴出器用噴出装置を提供することにある。
【０００７】
この発明の第３の目的は、噴射対象物の形状に合わせて的確に噴射することができるエアゾール式噴出器用噴出装置を提供することにある。
【０００８】
この発明の第４の目的は、噴射対象物の形状に合わせて的確に噴射することができる押出し式噴出器用噴出装置を提供することにある。
【０００９】
この発明の第５の目的は、噴射対象物の形状に合わせて的確に噴射することができる噴出器を提供することにある。
【課題を解決するための手段】
【００１０】
このため、請求項１に記載の発明は、上述した第１の目的を達成すべく、
液体を噴射する吐出口を設け、噴出器の、直接手を掛けて押し下げたりトリガーレバーを介して押し下げたりする吐出部材に取り付けて使用するノズル部材において、
前記吐出口まわりでそのノズル部材自体から一体的に突出して一対の噴射ガイドを嘴状に形成し、
その一対の噴射ガイドに、前記吐出口から噴射する液体の噴射範囲を規制する規制面を前記吐出口を挟んで互いに対向して設ける、ことを特徴とする。
【００１１】
請求項２に記載の発明は、同じく上述した第１の目的を達成すべく、請求項１に記載のノズル部材において、前記規制面に、角部を有しない周縁部を形成する、ことを特徴とする。
【００１２】
請求項３に記載の発明は、同じく上述した第１の目的を達成すべく、請求項１または２に記載のノズル部材において、吐出口を外開きの円錐面に形成する、ことを特徴とする。
【００１３】
請求項４に記載の発明は、同じく上述した第１の目的を達成すべく、
液体を噴射する吐出口を設け、噴出器の、直接手を掛けて押し下げたりトリガーレバーを介して押し下げたりする吐出部材に取り付けて使用するノズル部材において、
前記吐出口まわりでそのノズル部材の外面から凹ませて噴射ガイドを穴状に形成し、
その噴射ガイドに、前記吐出口から噴射する液体の噴射範囲を規制する２つの規制面を前記吐出口を挟んで互いに対向して設ける、ことを特徴とする。
【００１４】
請求項５に記載の発明は、同じく上述した第１の目的を達成すべく、請求項１ないし４のいずれか１に記載のノズル部材において、前記吐出口まわりの内面にスクリュを有する、ことを特徴とする。
【００１５】
請求項６に記載の発明は、同じく上述した第１の目的を達成すべく、請求項１ないし５のいずれか１に記載のノズル部材において、噴射ガイドで噴射範囲を規制して長方形状の噴射パターンを形成する、ことを特徴とする。
【００１６】
請求項７に記載の発明は、上述した第２の目的を達成すべく、請求項１ないし６のいずれか１に記載のノズル部材を取り付ける吐出部材を備え、容器の口部に取り付けてその吐出部材を押し込むことにより容器内の液体を汲み上げて外部に噴射することを特徴とする、ポンプ式噴出器用噴出装置である。
【００１７】
請求項８に記載の発明は、上述した第３の目的を達成すべく、請求項１ないし６のいずれか１に記載のノズル部材を取り付ける吐出部材を備え、容器の口部に取り付けてその吐出部材を押し込むことにより容器内の液体を噴射剤により外部に噴射することを特徴とする、エアゾール式噴出器用噴出装置である。
【００１８】
請求項９に記載の発明は、上述した第４の目的を達成すべく、請求項１ないし６のいずれか１に記載のノズル部材を取り付ける吐出部材を備え、容器の口部に取り付けて容器を押し潰すことにより容器内の液体を外部に噴射することを特徴とする、押出し式噴出器用噴出装置である。
【００１９】
請求項１０に記載の発明は、上述した第５の目的を達成すべく、請求項７ないし９のいずれか１に記載の噴出装置を備えることを特徴とする、噴出器である。
【発明の効果】
【００２０】
以上説明したとおり、請求項１ないし６に記載の発明によれば、吐出口まわりに一対の噴射ガイドを形成し、吐出口から噴射する液体の噴射範囲をその噴射ガイドの、対向する規制面で規制するので、噴射対象物の形状に合わせて噴射ガイドを形成することにより、吐出口から噴射する噴射液を不必要に拡散することなく、噴射対象物にむらなく的確に、しかも噴射対象物の形状に合わせて無駄なく効率的に吹き付けるノズル部材を提供することができる。
【００２１】
請求項２に記載の発明によれば、加えて、規制面の周縁稜線を丸めて規制面に、角部を有しない周縁部を形成するので、吐出口から噴射する液体が規制面の周縁角部にあたって噴射パターンのコーナー部分で液垂れを生じたり、噴射液が噴射パターンの噴射範囲から外れる飛び散りを生じたりすることを防止することができる。
【００２２】
請求項３に記載の発明によれば、加えて、吐出口を外開きの円錐面に形成するので、吐出口から噴射する液体を不必要に拡散することなく、噴射対象物に広角に吹き付けて希望する広がりを有する有効な噴射パターンを形成することができる。
【００２３】
請求項５に記載の発明によれば、加えて、吐出口まわりの内面にスクリュを有するので、噴射液を噴射対象物に付着したとき、希望する広がりを有する有効な噴射パターンを形成することができる。
【００２４】
請求項６に記載の発明によれば、加えて、噴射ガイドで噴射範囲を規制して長方形状の噴射パターンを形成するので、例えば網戸などのように、噴射対象物の形状として特に多い矩形状の場合にも、噴射液を不必要に拡散することなく、噴射対象物にむらなく的確に、しかも噴射対象物の形状に合わせて無駄なく効率的に吹き付けるノズル部材を提供することができる。
【００２５】
請求項７に記載の発明によれば、ポンプ式噴出器用噴出装置において、請求項１ないし６のいずれか１に記載のノズル部材を取り付ける吐出部材を備え、容器の口部に取り付けてその吐出部材を押し込むことにより容器内の液体を汲み上げる外部に噴射するので、噴射対象物の形状に合わせて噴射ガイドを形成することにより、その噴射ガイドで噴射範囲を規制して吐出口から噴射する噴射液を噴射対象物に不必要に拡散することなく、むらなく的確に、しかも噴射対象物の形状に合わせて無駄なく効率的に吹き付けるポンプ式噴出器用噴出装置を提供することができる。
【００２６】
請求項８に記載の発明によれば、エアゾール式噴出器用噴出装置において、請求項１ないし６のいずれか１に記載のノズル部材を取り付ける吐出部材を備え、容器の口部に取り付けてその吐出部材を押し込むことにより容器内の液体を噴射剤により外部に噴射するので、噴射対象物の形状に合わせて噴射ガイドを形成することにより、その噴射ガイドで噴射範囲を規制して吐出口から噴射する噴射液を噴射対象物に不必要に拡散することなく、むらなく的確に、しかも噴射対象物の形状に合わせて無駄なく効率的に吹き付けるエアゾール式噴出器用噴出装置を提供することができる。
【００２７】
請求項９に記載の発明によれば、押出し式噴出器用噴出装置において、請求項１ないし６のいずれか１に記載のノズル部材を取り付ける吐出部材を備え、容器の口部に取り付けて容器を押し潰すことにより容器内の液体を外部に噴射するので、噴射対象物の形状に合わせて噴射ガイドを形成することにより、その噴射ガイドで噴射範囲を規制して吐出口から噴射する噴射液を噴射対象物に不必要に拡散することなく、むらなく的確に、しかも噴射対象物の形状に合わせて無駄なく効率的に吹き付ける押出し式噴出器用噴出装置を提供することができる。
【００２８】
請求項１０に記載の発明によれば、加えて、噴出器において、請求項７ないし９のいずれか１に記載の噴出装置を備えるので、噴射対象物の形状に合わせて噴射ガイドを形成することにより、その噴射ガイドで噴射範囲を規制して吐出口から噴射する噴射液を噴射対象物に不必要に拡散することなく、むらなく的確に、しかも噴射対象物の形状に合わせて無駄なく効率的に吹き付ける噴出器を提供することができる。
【発明を実施するための最良の形態】
【００２９】
以下、図面を参照しつつ、この発明の実施の形態につき説明する。
図１には、この発明による往復ポンプ式の噴出器の要部縦断面を示す。
【００３０】
図示噴出器では、ボトル状の容器Ｑに、乾燥防止用化粧水、ガラスクリーナ等のクリーナ液、曇り止め剤などの液体を収納し、その容器Ｑの口部１にねじキャップ２を被せてねじ付け、ポンプ式噴出器用噴出装置Ｐを取り付ける。
【００３１】
そして、使用時は、吐出部材である押し釦３を押し下げることにより、噴出装置Ｐの、ステムと一体のピストン４を押し込んで圧力室ｐ内の圧力を上昇し、吐出弁５を開いて圧力室ｐ内の液体を連通孔４ａからピストン４の吐出路４ｂに入れ、押し釦３に取り付けるノズル部材６の吐出口６ａから外部に噴射する。
【００３２】
使用後は、押し釦３から手を離してピストン４の押し込みを解除し、スプリング７の付勢力でピストン４を押し上げて圧力室ｐ内の圧力を低下し、吐出弁５を閉じるとともに、ボール状の吸入弁８を開いて容器Ｑ内の液体を圧力室ｐ内に吸い上げる。
【００３３】
この繰り返しにより、容器Ｑ内の液体をいったん圧力室ｐに汲み上げてから、ノズル部材６の吐出口６ａから外部に向けて噴射し、噴射しながら移動することにより噴射対象物の目的部位にむらなく吹き付ける。
【００３４】
ところで、図示噴出器のノズル部材６は、樹脂材料を用いて一体成形で、図２（Ａ）に示すように、円筒部６Ａと、その片側開口を塞ぐように中心を一致して鍔状に設ける円板部６Ｂとで形成する。円筒部６Ａの外周には、周方向に係止突部６ｂを設ける。他方、円板部６Ｂには、その中心に吐出口６ａを設け、図２（Ａ）に示すように外開きの円錐面に形成する。
【００３５】
円板部６Ｂには、外面に、吐出口６ａまわりで一体的に突出して一対の噴出ガイド６ｃを嘴状に形成する。一対の噴出ガイド６ｃには、吐出口６ａから噴射する液体の噴射範囲を規制する矩形状のフラットな規制面ｈを、図２(Ｂ)に示すように吐出口6ａを挟んで互いに対向して設ける。一対の噴出ガイド６ｃは、それぞれ長さがａで高さがｂであり、規制面ｈの間隔をｃ隔てて左右に設ける。
【００３６】
また、円板部６Ｂには、吐出口６ａまわりの内面にスクリュ６ｄを有する。スクリュ６ｄは、図２(Ｃ)に示すように複数の螺旋状のリブ６ｅを設けたり、（Ｄ）に示すように複数の放射状のリブ６ｆを設けたり、（Ｅ）に示すように直線状の溝６ｇを径方向に設けたりなどして形成する。
【００３７】
そして、該ノズル部材６は、図１に示すように、吐出部材である押し釦３のノズル部材取付凹部３ａに圧入し、係止突部６ｂを係止して抜け止めし、押し釦３に取り付けて使用する。このとき、円筒部６Ａ内には、押し釦３のセンターポール３ｂを挿入し、円筒部６Ａとセンターポール３ｂ間に、押し釦３の吐出流路３ｃとノズル部材６の吐出口６ａとを連通する連通路３ｄを形成する。
【００３８】
そして、使用時に押し釦３を押し下げると、液体をピストン４の吐出路４ｂから押し釦３の吐出流路３ｃに入れ、連通路３ｄを通して途中でスクリュ６ｄにより霧状にしたり泡状にしたりして吐出口６ａから外部に噴射し、図３に示すようにその噴射する液体の噴射範囲を噴射ガイド６ｃで規制して長方形状の噴射パターン９を形成する。
【００３９】
このようにすると、例えば網戸などの噴射対象物１０の形状に合わせて噴射ガイド６ｃを形成し、図３中矢示方向に移動して吹き付けることにより、その噴射ガイド６ｃの規制面ｈで噴射範囲を規制して吐出口６ａから噴射する噴射液を噴射対象物１０の形状に合わせて不必要に拡散することなく、噴射対象物１０にむらなく的確に、しかも無駄なく効率的に吹き付けることができる。
【００４０】
このとき、噴射ガイド６ｃの長さａや高さｂ、一対の噴射ガイド６ｃの規制面ｈの間隔ｃなどを適宜変更することにより、噴射パターン９を変更したり、液垂れを防止したりすることができる。また、ノズル部材６を取り換えることによっても、簡単に噴射対象物１０の形状に合わせることができる。
【００４１】
さて、上述した例では、一対の噴射ガイド６ｃを、吐出口６ａを挟んで左右に設けたが、図４に示すように上下に設けることにより、図５に示すように噴射パターン９を横長矩形状にすることもできる。もちろん、図４および図５に示すノズル部材６は、別途形成する必要はなく、図２に示すノズル部材６を中心まわりに９０度回転して押し釦３に圧入することにより容易に得ることができる。
【００４２】
また、上述した例では、吐出口６ａから噴射する液体の噴射範囲を規制するフラットな規制面ｈを一対の噴射ガイド６ｃに矩形状に設けた。しかし、矩形状とすると、規制面ｈに角部ができ、吐出口６ａから噴射する液体がその角部にあたって噴射パターン９のコーナー部分9ａ（図３および図５参照）で液垂れを生じたり、噴射液が噴射パターン９の噴射範囲から外れる飛び散りを生じたりすることがある。
【００４３】
そこで、図６（Ａ）ないし（Ｄ）に示すように、噴射ガイド６ｃの規制面ｈの周縁稜線を丸めて規制面ｈに、角部を有しない周縁部ｉを形成すると、コーナー部分９ａの液垂れや液体の飛び散りを防止することができる。このとき、規制面ｈの背面側は、特に特定の形状にする必要はなく、図６（Ａ）ないし（Ｄ）に示すような湾曲して傾斜する曲面形状でも、図７（Ａ）ないし（Ｄ）に示すような一定幅の平行面形状などでもよい。
【００４４】
なお、吐出口６ａを図６（Ａ）ないし（Ｄ）に示すように丸形状で開口するよりも、図７（Ａ）ないし（Ｄ）に示すように両側を噴射ガイド６ｃで絞った細長形状で開口した方が、開口面積が同じであれば当然に長い方向に広がりのあるより広角な噴射パターン９を得ることができる。
【００４５】
ところで、上述した例では、円板部６Ｂの吐出口６ａまわりでノズル部材６から一体的に突出して一対の噴出ガイド６ｃを嘴状に形成した。しかし、図８（Ａ）および（Ｂ）に示すように噴出ガイド６ｃを吐出口６ａまわりでノズル部材６の外面から凹ませて穴状に形成してもよい。すなわち、円板部６Ｂの中心に径ｄの吐出口６ａを設け、その外側に長さがｅで深さがｆ、幅がｇの矩形穴を形成する。そして、その噴射ガイド６ｃに、吐出口６ａから噴射する液体の噴射範囲を規制する２つの規制面ｈを吐出口６ａを挟んで互いに対向して設ける。
【００４６】
そして、吐出口６ａの径ｄに合わせて、噴射ガイド６ｃの長さｅや深さｆ、幅ｇなどを適宜変更することにより、噴射パターン９を変更したり、液垂れを防止したりすることができる。なお、図８では図２のノズル部材６の対応部分に使用した符号をそのまま使用し、重複説明を省略する。
【００４７】
また、上述した例では、ノズル部材６の吐出口６ａまわりの内面にスクリュ６ｄを有する。そこで、噴射液を噴射対象物に向けて噴射したとき、拡散して希望する広がりを有する有効な噴射パターン９を形成することができる。これに対し、スクリュ６ｄを有しないノズル部材６では、噴射したとき棒状吹き付けになり、噴射対象物に大きな広がりをもって付着することができない。しかし、上述した例と同様に、吐出口６ａまわりに噴射ガイド６ｃを設けることにより、広がりは小さくなるが、この場合も同じく細長の噴射パターンを形成することはできる。
【００４８】
さらに、上述した例では、吐出部材として、直接手を掛けて押し下げる押し釦３を用いる場合について説明したが、吐出部材は、直接手を掛けて押し下げる押し釦に限らず、トリガーレバー等を用いて押し下げるようなものであってももちろんよい。
【００４９】
さて、上述した例では、ノズル部材６を取り付ける押し釦３を備え、容器Ｑの口部１にポンプ式噴出器用噴出装置Ｐを取り付け、その押し釦３を押し込むことにより容器Ｑ内の液体を汲み上げて外部に噴射する噴出器に適用した場合について説明した。しかし、この発明は、ノズル部材を取り付ける押し釦を備え、容器の口部にエアゾール式噴出器用噴出装置Ｒを取り付け、その押し釦を押し込むことにより容器内の液体を噴射剤により外部に噴射する、図９に示すような噴出器にも、同様に適用することができる。
【００５０】
図９に示す噴出器では、使用時、押し釦３を手で押し下げることにより、エアゾール式噴出器用噴出装置Ｒのステム１３を押し込んでステムラバー１４を変形してステム１３の連通孔１３ａを開き、容器Ｑ内の液体を、その液体とともに容器Ｑ内に収納する噴射剤の圧力により連通孔１３ａからステム１３の吐出路１３ｂに入れ、押し釦３に取り付けるノズル部材６の吐出口６ａから外部に噴射する。
【００５１】
また、ノズル部材を取り付ける吐出部材を備え、容器の口部に押出し式噴出器用噴出装置を取り付け、容器を押し潰すことにより容器内の液体を外部に噴射する噴出器にも、同様に適用することができる。
【図面の簡単な説明】
【００５２】
【図１】この発明による往復ポンプ式の噴出器の要部縦断面図である。
【図２】その噴出器で使用するノズル部材で、（Ａ）は縦断面図、（Ｂ）はその左側面図、（Ｃ）はその吐出口まわり内面のスクリュ形状図、（Ｄ）は他のスクリュ形状図、（Ｅ）はさらに他のスクリュ形状図である。
【図３】同噴出器の使用状態斜視図である。
【図４】別のノズル部材斜視図である。
【図５】そのノズル部材を使用した噴出器の使用状態斜視図である。
【図６】ノズル部材に形成する他の噴射ガイドを示し、（Ａ）は斜視図、（Ｂ）は正面図、（Ｃ）はそのＡ-Ａ線断面図、（Ｄ）はＢ−Ｂ線断面図である。
【図７】ノズル部材に形成するさらに他の噴射ガイドを示し、（Ａ）は斜視図、（Ｂ）は正面図、（Ｃ）はそのＣ-Ｃ線断面図、（Ｄ）はＤ−Ｄ線断面図である。
【図８】さらに、別のノズル部材を示し、（Ａ）は縦断面図、（Ｂ）はその左側面図である。
【図９】この発明によるエアゾール式の噴出器の要部縦断面図である。
【符号の説明】
【００５３】
１    容器の口部
３    押し釦（吐出部材）
６    ノズル部材
６ａ  吐出口
６ｃ  噴射ガイド
６ｄ  スクリュ
９    噴射パターン
１０    噴射対象物
ｈ    規制面
ｉ    周縁部
Ｐ    ポンプ式噴出器用噴出装置
Ｑ    容器
Ｒ    エアゾール式噴出器用噴出装置
【図１】
2005066588.tif 000003
【図２】
2005066588.tif 000004
【図３】
2005066588.tif 000005
【図４】
2005066588.tif 000006
【図５】
2005066588.tif 000007
【図６】
2005066588.tif 000008
【図７】
2005066588.tif 000009
【図８】
2005066588.tif 000010
【図９】
2005066588.tif 000011